(57)【特許請求の範囲】
【請求項１】
第１・第２の一対のくちばし（４Ａ・４Ｂ）で、パッド（Ｐ）とパッド箱（Ｂ１・Ｂ２）とを同時に挟持して、パッド（Ｐ）の位置調整を行うパッド用プライヤであって、
第２くちばし（４Ｂ）の挟持面（７）の先端寄りに、小形のパッド箱（Ｂ１）を受け入れる第１凹部（９）と、大形のパッド箱（Ｂ２）を受け入れる第２凹部（１０）とが設けられており、
第１凹部（９）は、挟持面（７）の先端寄りを幅方向へ横切る状態で溝状に設けられており、
第２凹部（１０）は挟持面（７）の長手方向に沿って凹み形成されて、その先端寄りの開口縁が第１凹部（９）の先端側の溝開口縁に一致する状態で第１凹部（９）と交差させてあり、
第１凹部（９）と第２くちばし（４Ｂ）の突端面との間の面（１２）に、パッド足（１６）を受け入れる逃げ溝（１３）が、第１・第２の両凹部（９・１０）と連通する状態で設けてあることを特徴とする眼鏡枠のパッド用プライヤ。
【請求項２】
第２凹部（１０）の幅方向中央部に、第２凹部（１０）より深くて幅狭の逃げ凹部（１１）が形成してある請求項１記載の眼鏡枠のパッド用プライヤ。
【請求項３】
第１・第２の両凹部（９・１０）と対向する第１くちばし（４Ａ）の挟持面（５）に、パッド（Ｐ）を受け止める受面（６）が設けられており、受面（６）が緩やかな凹曲面に形成されている請求項１又は２記載の眼鏡枠のパッド用プライヤ。  
【発明の詳細な説明】
【０００１】
【発明の属する技術分野】
この発明は、眼鏡枠の形状修正用のプライヤ、とくに、パッドの位置を使用者の鼻梁部の高さや幅の違いに応じて調整するためのプライヤに関する。
【０００２】
【従来の技術】
眼鏡枠のパッドは、パッド足（クリングス）の下端に固定したパッド箱で複数方向へ傾動自在に支持してある。そのためパッド位置を調整する場合には、パッド箱とパッドとを専用のプライヤで同時に挟持して、パッド足を前後あるいは左右方向へ曲げ操作する。プライヤの一方のくちばしの挟持面には、パッド箱を受け入れる凹部が設けてあるので、一対のくちばしでパッド箱とパッドを挟んだ状態において、プライヤが滑ったりぐらつくのを防止できる。
【０００３】
【発明が解決しようとする課題】
パッド箱には、ほぼ立方体状に形成される小形のパッド箱と、長方形状の枠体からなる比較的大形のパッド箱とがある。従来は、パッド箱の大きさに応じて、それぞれ専用のプライヤを用意し、これらを使い分けてパッド位置の調整を行っていた。そのため、眼鏡販売店では２種のパッド用プライヤを常備しておく必要があった。２種のプライヤの外観形状はほぼ同じで、くちばしに設けた凹部構造が違うだけなので、取り違えやすかった。
【０００４】
この発明の目的は、パッド箱の大きさが異なる場合にも、共通してパッドの位置調整を行え、その分だけユーザーのコスト負担を軽減できる眼鏡枠のパッド用プライヤを提供することにある。
【０００５】
【課題を解決するための手段】
この発明のパッド用プライヤは、第１・第２の一対のくちばし４Ａ・４Ｂで、パッドＰとパッド箱Ｂ１・Ｂ２とを同時に挟持して、パッドＰの位置調整を行う。第２くちばし４Ｂの挟持面７の先端寄りに、小形のパッド箱Ｂ１を受け入れる第１凹部９と、大形のパッド箱Ｂ２を受け入れる第２凹部１０とが設けられている。第１凹部９は、挟持面７の先端寄りを幅方向へ横切る状態で溝状に設けられている。第２凹部１０は挟持面７の長手方向に沿って凹み形成されて、その先端寄りの開口縁が第１凹部９の先端側の溝開口縁に一致する状態で第１凹部９と交差させてある。第１凹部９と第２くちばし４Ｂの突端面との間の面１２に、パッド足１６を受け入れる逃げ溝１３が、第１・第２の両凹部９・１０と連通する状態で設けてある。
【０００６】
第２凹部１０の幅方向中央部に、第２凹部１０より深くて幅狭の逃げ凹部１１が形成してある。第１・第２の両凹部９・１０と対向する第１くちばし４Ａの挟持面５には、パッドＰを受け止める受面６を設け、この受面６は緩やかな凹曲面に形成してある。
【０００７】
【作用】
第２くちばし４Ｂの挟持面７に、第１・第２の両凹部９・１０が設けられているので、パッド箱Ｂ１・Ｂ２の違いに応じて両凹部９・１０を使い分けるだけで、大形のパッド箱Ｂ２を備えている眼鏡枠と、小形のパッド箱Ｂ１を備えている眼鏡枠とのいずれにも、単一のパッド用プライヤを共用できる。
【０００８】
第１・第２の両凹部９・１０を互いに交差する状態で設けたパッド用プライヤによれば、パッドＰとパッド箱Ｂ１・Ｂ２とを常に一対のくちばし４Ａ・４Ｂの先端部で挟持できるので、調整作業を行いやすく使い勝手がよい。挟持面７の先端に両凹部９・１０と連通する逃げ溝１３を有するので、各凹部９・１０をパッド箱Ｂ１・Ｂ２に密着させて、パッド足１６の曲げ操作をより確実に行える。逃げ溝１３で挟持位置の位置決めも行える。パッドＰの鼻梁と接当する側の接触面１７は、通常、緩やかな突曲状に形成されている。この接触面１７に第１くちばし４Ａを密着させてパッドＰを確りと挟み保持するために、第１くちばし４Ａの挟持面５に緩やかな凹曲面からなる受面６が設けられている。
【０００９】
【実施例】
図１ないし図６はこの発明に係るパッド用プライヤの実施例を示す。図２においてパッド用プライヤは、左右一対の挟み腕１Ａ・１ＢをＸ字状に組み、その交差部分を軸２で止め付けて形成してある。各挟み腕１Ａ・１Ｂは鍛造品からなり、研削整形後にめっき処理して仕上げてある。交差部分の一方には外突状に湾曲する一対の柄３・３が設けられており、他方には第１・第２の一対のくちばし４Ａ・４Ｂが設けてある。
【００１０】
第１くちばし４Ａは、偏平軸状に形成してあり、第２くちばし４Ｂとの対向面に平坦な挟持面５を有し、偏平軸部分の前後幅（約4.５mm）は一定であるが、左右方向の厚みは、先端に近付くほど薄くなるよう先すぼまり状に形成する。挟持面５の先端寄りには、パッドＰの接触面１７（図５および図６参照）を受け止める受面６が、緩やかな凹曲面に形成してある。
【００１１】
第２くちばし４Ｂは、第１くちばし４Ａと同様に偏平軸状に形成するが、その全長が第１くちばし４Ａよりも僅かに短い点と、左右方向の厚み寸法が全体に分厚く形成してある点とが第１くちばし４Ａとは異なる。第２くちばし４Ｂには、第１くちばし４Ａとの対向面に平坦な挟持面７を設ける。この挟持面７の先端寄りには、図３および図４に示すように、小形のパッド箱Ｂ１を受け入れる第１凹部９と、大形のパッド箱Ｂ２を受け入れる第２凹部１０とが設けられている。
【００１２】
図３および図４において、第１凹部９は挟持面７を前後の幅方向へ横切る状態で溝状に設ける。第１凹部９の溝断面形は正面視で半長円状を呈している。これは図５に示すように小形のパッド箱Ｂ１の外面隅部が丸められているのに対応するためである。第２凹部１０は、第１凹部９と交差する状態で、挟持面７の長手方向に沿って凹み形成する。第２凹部１０は挟持面７と正対する側から見て長円状に形成し、その一方の円弧端を第１凹部９の先端側の溝開口縁に一致させてある。従って、第２凹部１０の開口縁は、第１凹部９の基端側の溝開口縁と連続する側にしか現れない。第２凹部１０の幅方向中央には、第２凹部１０より深くて幅狭の逃げ凹部１１を設ける。
【００１３】
挟持面７の突端において、第１凹部９と第２くちばし４Ｂの突端面との間には、１mm前後の幅狭の平坦面１２が残っている。この平坦面１２は、各凹部９・１０でパッド箱Ｂ１・Ｂ２を挟持するときパッド足１６に先当たりする。そこで、平坦面１２の幅方向中央にパッド足１６を受け入れる逃げ溝１３を設け、逃げ溝１３を第１・第２の両凹部９・１０に連通させている。なお、一対の柄３を握り締めた状態において、両くちばし４Ａ・４Ｂは非平行になるので、先の平坦面１２が第１くちばし４Ａの挟持面５と接当して、挟み込み限界を規定している。
【００１４】
図５は小形のパッド箱Ｂ１で支持されたパッドＰの一例を示し、図６は大形のパッド箱Ｂ２で支持されたパッドＰの一例を示す。図５および図６において、符号１５は眼鏡枠のリム、１６はリム１５に固定したパッド足である。パッドＰはプラスチック成形品からなり、その鼻梁と接当する接触面１７が緩やかな突曲面に形成されている。
【００１５】
パッドＰの位置修正を行うときは、図５および図６に示すように、第１くちばし４Ａの受面６をパッドＰの接触面１７に当てがいながら、第２くちばし４Ｂの第１凹部９（又は第２凹部１０）でパッド箱Ｂ１（又はパッド箱Ｂ２）を挟持する。このとき、パッド足１６は逃げ溝１３内に入り込む。従って、パッド箱（Ｂ１又はＢ２）のそれぞれは、第１凹部９又は第２凹部１０で確りと捕捉できる。パッド足１６が逃げ溝１３と係合しているので、パッド足１６を曲げ操作するとき、各くちばし４Ａ・４Ｂが幅方向へずれ動くこともない。
【００１６】
上記の実施例以外に、第１凹部９と第２凹部１０との内表面に、プラスチックあるいはゴム等を用いて保護層を形成し、パッド箱Ｂ１・Ｂ２に挟持疵が付くのを防止することができる。  
【００１７】
【発明の効果】
この発明では、第２くちばし４Ｂに大小２種の第１・第２凹部９・１０を設け、これらを使い分けることでパッド箱Ｂ１・Ｂ２の大きさが異なる場合にも、１個のプライヤのみでパッドＰの位置調整を行えるようにした。従って、眼鏡販売店では、１個のパッド用プライヤを用意しておくだけでよく、その分だけ調整工具用のコスト負担を軽減できるうえ、プライヤの取り違いも解消できる。
【図面の簡単な説明】
【図１】  くわえ部の斜視図である。
【図２】  プライヤの正面図である。
【図３】  パッド箱を受け入れる凹部の詳細構造を示す側面図である。
【図４】  図３におけるＡ−Ａ線断面図である。
【図５】  パッドの調整作業を示す説明図である。
【図６】  別のパッドの調整作業を示す説明図である。
【符号の説明】
４Ａ  第１くちばし
４Ｂ  第２くちばし
５  第１くちばしの挟持面
７  第２くちばしの挟持面
９  第１凹部
１０  第２凹部
１３  逃げ溝
【図１】
0004149542.tif 000002
【図２】
0004149542.tif 000003
【図３】
0004149542.tif 000004
【図４】
0004149542.tif 000005
【図５】
0004149542.tif 000006
【図６】
0004149542.tif 000007